【手続補正書】
【提出日】平成26年3月3日(2014.3.3)
【手続補正１】
【補正対象書類名】特許請求の範囲
【補正対象項目名】全文
【補正方法】変更
【補正の内容】
【特許請求の範囲】
【請求項１】
空調すべき建物内の温度情報と湿度情報とを含み１又は複数の端末装置のそれぞれによって取得された環境情報と、前記１又は複数の端末装置のそれぞれの利用者に関する属性情報と、前記１又は複数の端末装置のそれぞれの利用者による前記建物内の快適性に対する評価を示す評価情報とを取得する取得手段と、
各利用者の属性情報の開示度に応じて重みを変えて各利用者の評価情報を重み付けし、重み付けされた各利用者の評価情報と、前記１又は複数の端末装置のそれぞれによって取得された環境情報とに基づいて、前記建物内の快適度を示す快適度情報を生成する快適度情報生成手段と、
前記快適度情報に基づいて前記建物内の空調を制御する制御手段と、
を有することを特徴とする空調制御装置。
【請求項２】
請求項１に記載の空調制御装置であって、
前記属性情報は、前記端末装置の利用者の年齢及び性別のうちの少なくとも一方を含み、
前記快適度情報生成手段は、前記利用者の年齢及び性別のうちの少なくとも一方に応じて前記評価情報を重み付けして前記快適度情報を生成する、
ことを特徴とする空調制御装置。
【請求項３】
請求項１に記載の空調制御装置であって、
前記属性情報は、前記端末装置の利用者の氏名、住所、電話番号、及び電子メールアドレスのうちの少なくとも１つを含み、
前記快適度情報生成手段は、前記属性情報に含まれる情報の種類に応じて前記評価情報を重み付けして前記快適度情報を生成する、
ことを特徴とする空調制御装置。
【請求項４】
請求項１から請求項３のいずれか一項に記載の空調制御装置であって、
前記快適度生成手段は、前記１又は複数の端末装置のそれぞれによって取得された環境情報に基づいて快適度情報を生成し、生成された快適度情報に基づいて前記制御手段によって空調が制御された後に前記取得手段によって取得された各利用者の評価情報を、各利用者の属性情報に応じて重み付けし、重み付けされた各利用者の評価情報に基づいて前記快適度情報を補正し、
前記制御手段は、補正された快適度情報に基づいて前記建物内の空調を制御する、
ことを特徴とする空調制御装置。
【請求項５】
請求項１から請求項４のいずれか一項に記載の空調制御装置であって、
前記取得手段が同一の端末装置から所定時間内に複数の評価情報を取得した場合、前記快適度情報生成手段は、前記取得手段が前記同一の端末装置から前記所定時間内に２度目以降に取得した評価情報を除いて、前記快適度情報を生成する、
ことを特徴とする空調制御装置。
【請求項６】
請求項１から請求項５のいずれか一項に記載の空調制御装置であって、
前記温度情報及び前記湿度情報は、前記１又は複数の端末装置によって検知された情報である、
ことを特徴とする空調制御装置。
【請求項７】
請求項１から請求項５のいずれか一項に記載の空調制御装置であって、
前記温度情報及び前記湿度情報は、前記建物内に設置されたセンサによって検知されて前記１又は複数の端末装置のそれぞれに送信された情報である、
ことを特徴とする空調制御装置。
【請求項８】
請求項１から請求項７のいずれか一項に記載の空調制御装置であって、
前記取得手段は、前記建物内における前記１又は複数の端末装置のそれぞれの位置情報を更に取得し、
前記快適度情報生成手段は、前記位置情報に基づいて前記建物内の各エリアの快適度情報を生成し、
前記制御手段は、前記各エリアの快適度情報に基づいて前記各エリアの空調を制御する、
ことを特徴とする空調制御装置。
【請求項９】
請求項１から請求項８のいずれか一項に記載の空調制御装置であって、
前記快適度情報生成手段は、ＰＭＶ値又はＳＥＴ値のいずれか一方を前記快適度情報として求め、
前記制御手段は、前記ＰＭＶ値又は前記ＳＥＴ値のいずれか一方に基づいて、前記建物内の空調を制御する、
ことを特徴とする空調制御装置。
【請求項１０】
１又は複数の端末装置と、空調制御装置とを含む空調制御システムであって、
前記１又は複数の端末装置は、空調すべき建物内の温度情報と湿度情報とを含む環境情報を取得し、
前記空調制御装置は、
前記１又は複数の端末装置のそれぞれによって取得された環境情報と、前記１又は複数の端末装置のそれぞれの利用者に関する属性情報と、前記１又は複数の端末装置のそれぞれの利用者の前記建物内の快適性に対する評価を示す評価情報とを取得する取得手段と、
各利用者の属性情報の開示度に応じて重みを変えて各利用者の評価情報を重み付けし、重み付けされた各利用者の評価情報と、前記１又は複数の端末装置のそれぞれによって取得された環境情報とに基づいて、前記建物内の快適度を示す快適度情報を生成する快適度情報生成手段と、
前記快適度情報に基づいて前記建物内の空調を制御する制御手段と、
を有することを特徴とする空調制御システム。
【請求項１１】
請求項１０に記載の空調制御システムであって、
前記属性情報は、前記端末装置の利用者の年齢及び性別のうちの少なくとも一方を含み、
前記快適度情報生成手段は、前記利用者の年齢及び性別のうちの少なくとも一方に応じて前記評価情報を重み付けして前記快適度情報を生成する、
ことを特徴とする空調制御システム。
【請求項１２】
請求項１０に記載の空調制御システムであって、
前記属性情報は、前記端末装置の利用者の氏名、住所、電話番号、及び電子メールアドレスのうちの少なくとも１つを含み、
前記快適度情報生成手段は、前記属性情報に含まれる情報の種類に応じて前記評価情報を重み付けして前記快適度情報を生成する、
ことを特徴とする空調制御システム。
【請求項１３】
請求項１０から請求項１２のいずれか一項に記載の空調制御システムであって、
前記温度情報及び前記湿度情報は、前記建物内に設置されたセンサによって検知された情報であり、
前記１又は複数の端末装置は、前記温度情報と前記湿度情報とを前記センサから取得し、前記環境情報を前記空調制御装置に送信する、
ことを特徴とする空調制御システム。
【請求項１４】
請求項１０から請求項１３のいずれか一項に記載の空調制御システムであって、
前記複数の端末装置のうちの１つの端末装置は、他の端末装置によって許可された評価情報を前記空調制御装置に送信する、
ことを特徴とする空調制御システム。
【請求項１５】
コンピュータに、
空調すべき建物内の温度情報と湿度情報とを含み１又は複数の端末装置のそれぞれによって取得された環境情報と、前記１又は複数の端末装置のそれぞれの利用者に関する属性情報と、前記１又は複数の端末装置のそれぞれの利用者による前記建物内の快適性に対する評価を示す評価情報とを取得する第１のステップと、
各利用者の属性情報の開示度に応じて重みを変えて各利用者の評価情報を重み付けし、重み付けされた各利用者の評価情報と、前記１又は複数の端末装置のそれぞれによって取得された環境情報とに基づいて、前記建物内の快適度を示す快適度情報を生成する第２のステップと、
前記快適度情報に基づいて前記建物内の空調を制御する第３のステップと、
を実行させることを特徴とする空調制御プログラム。
【手続補正２】
【補正対象書類名】明細書
【補正対象項目名】００１６
【補正方法】変更
【補正の内容】
【００１６】
請求項１に係る発明は、空調すべき建物内の温度情報と湿度情報とを含み１又は複数の端末装置のそれぞれによって取得された環境情報と、前記１又は複数の端末装置のそれぞれの利用者に関する属性情報と、前記１又は複数の端末装置のそれぞれの利用者による前記建物内の快適性に対する評価を示す評価情報とを取得する取得手段と、各利用者の属性情報の開示度に応じて重みを変えて各利用者の評価情報を重み付けし、重み付けされた各利用者の評価情報と、前記１又は複数の端末装置のそれぞれによって取得された環境情報とに基づいて、前記建物内の快適度を示す快適度情報を生成する快適度情報生成手段と、前記快適度情報に基づいて前記建物内の空調を制御する制御手段と、を有することを特徴とする空調制御装置である。
【手続補正３】
【補正対象書類名】明細書
【補正対象項目名】００２５
【補正方法】変更
【補正の内容】
【００２５】
請求項１０に係る発明は、１又は複数の端末装置と、空調制御装置とを含む空調制御システムであって、前記１又は複数の端末装置は、空調すべき建物内の温度情報と湿度情報とを含む環境情報を取得し、前記空調制御装置は、前記１又は複数の端末装置のそれぞれによって取得された環境情報と、前記１又は複数の端末装置のそれぞれの利用者に関する属性情報と、前記１又は複数の端末装置のそれぞれの利用者の前記建物内の快適性に対する評価を示す評価情報とを取得する取得手段と、各利用者の属性情報の開示度に応じて重みを変えて各利用者の評価情報を重み付けし、重み付けされた各利用者の評価情報と、前記１又は複数の端末装置のそれぞれによって取得された環境情報とに基づいて、前記建物内の快適度を示す快適度情報を生成する快適度情報生成手段と、前記快適度情報に基づいて前記建物内の空調を制御する制御手段と、を有することを特徴とする空調制御システムである。
【手続補正４】
【補正対象書類名】明細書
【補正対象項目名】００３０
【補正方法】変更
【補正の内容】
【００３０】
請求項１５に係る発明は、コンピュータに、空調すべき建物内の温度情報と湿度情報とを含み１又は複数の端末装置のそれぞれによって取得された環境情報と、前記１又は複数の端末装置のそれぞれの利用者に関する属性情報と、前記１又は複数の端末装置のそれぞれの利用者による前記建物内の快適性に対する評価を示す評価情報とを取得する第１のステップと、各利用者の属性情報の開示度に応じて重みを変えて各利用者の評価情報を重み付けし、重み付けされた各利用者の評価情報と、前記１又は複数の端末装置のそれぞれによって取得された環境情報とに基づいて、前記建物内の快適度を示す快適度情報を生成する第２のステップと、前記快適度情報に基づいて前記建物内の空調を制御する第３のステップと、を実行させることを特徴とする空調制御プログラムである。